(57)【要約】【課題】再接続されたモバイル機器の利用環境を自動回復する「ネットワークシステム及びモバイル機器の利用環境の自動回復方法」を提供する。【解決手段】ヘッドユニット２の機器対応設定制御部２４は、モバイル機器４が無線ネットワーク１１から切断した時点の自身の設定状態を、切断したモバイル機器４の識別子と共に機器別設定テーブル２５に記憶し、モバイル機器４が無線ネットワーク１１に接続した際には、接続したモバイル機器４の識別子に対応して記憶されている設定状態を回復する。モバイル機器４のネットワーク対応設定制御部４３は、自身が無線ネットワーク１１から切断した時点の自身の設定状態を、切断したネットワークの識別子と共にネットワーク別設定テーブル４４に記憶し、自身が無線ネットワーク１１に再接続した際には、接続した無線ネットワーク１１の識別子に対応して記憶されている設定状態を回復する。【選択図】図２
2005198066.tif 000002
【特許請求の範囲】
【請求項１】
１以上の機器が接続されたネットワークシステムであって、
前記ネットワークシステムに選択的に接続されるモバイル機器を有し、
少なくとも一つの前記機器は、
前記ネットワークシステムに接続していたモバイル機器がネットワークシステムから離脱したときに、当該時点における自己の設定状態を、当該モバイル機器の識別情報に対応づけて記憶するモバイル機器別設定状態記憶手段と、
前記ネットワークシステムにモバイル機器が接続したときに、接続したモバイル機器の識別情報に対応づけて前記モバイル機器別設定状態記憶手段に記憶されている設定状態に、自己の設定状態を回復するモバイル機器別設定回復手段とを有し、
前記モバイル機器は、
ネットワークシステムから離脱したときに、当該時点における自己の設定状態を、当該離脱したネットワークシステムの識別情報に対応づけて記憶するネットワーク別設定状態記憶手段と、
前記ネットワークシステムに接続したときに、接続したネットワークシステムの識別情報に対応づけて前記ネットワーク別設定状態記憶手段に記憶されている設定状態に、自己の設定状態を回復するネットワーク別設定回復手段とを有することを特徴とするネットワークシステム。
【請求項２】
複数の機器が接続されたネットワークシステムであって、
前記ネットワークシステムに選択的に接続されるモバイル機器を有し、
前記複数の機器の内の一つの前記機器は、
前記ネットワークシステムに接続していたモバイル機器がネットワークシステムから離脱したときに、当該時点における前記複数の機器の各々の設定状態を収集し、当該モバイル機器の識別情報に対応づけて記憶するモバイル機器別設定状態記憶手段と、
前記ネットワークシステムにモバイル機器が接続したときに、接続したモバイル機器の識別情報に対応づけて前記モバイル機器別設定状態記憶手段に記憶されている設定状態に、前記複数の機器の各々の設定状態を回復するモバイル機器別設定回復手段とを有し、
前記モバイル機器は、
ネットワークシステムから離脱したときに、当該時点における自己の設定状態を、当該離脱したネットワークシステムの識別情報に対応づけて記憶するネットワーク別設定状態記憶手段と、
前記ネットワークシステムに接続したときに、接続したネットワークシステムの識別情報に対応づけて前記ネットワーク別設定状態記憶手段に記憶されている設定状態に、自己の設定状態を回復するネットワーク別設定回復手段とを有することを特徴とするネットワークシステム。
【請求項３】
請求項１または２記載のネットワークシステムであって、
前記モバイル装置は無線通信を介して前記ネットワークシステムに接続することを特徴とするネットワークシステム。
【請求項４】
請求項１、２または３記載のネットワークシステムであって、
前記ネットワークシステムは自動車に搭載されており、前記複数の機器は、オーディオまたはビデオの少なくとも一方を扱うＡＶ機器であることを特徴とするネットワークシステム。
【請求項５】
１以上の機器が接続されたシステムに選択的に接続されるモバイル機器の利用環境の自動回復方法であって、
少なくとも一つの前記機器において、前記システムに接続していたモバイル機器が前記システムから離脱したときに、当該時点における自己の設定状態を、当該モバイル機器の識別情報に対応づけて記憶するステップと、
前記モバイル機器において、前記システムから離脱したときに、当該時点における自己の設定状態を、当該離脱したネットワークシステムの識別情報に対応づけて記憶するステップと、
少なくとも前記一つの前記機器において、前記システムにモバイル機器が接続したときに、接続したモバイル機器の識別情報に対応づけて記憶されている設定状態に、自己の設定状態を回復するステップと、
前記モバイル機器において、前記システムに接続したときに、接続したシステムの識別情報に対応づけて記憶されている設定状態に、自己の設定状態を回復するステップとを有することを特徴とするモバイル機器の利用環境の自動回復方法。
【発明の詳細な説明】
【技術分野】
【０００１】
本発明は、ネットワークを介して接続された複数の機器より形成されるネットワークシステムに、選択的に接続されるモバイル機器の利用環境の設定を支援する技術に関するものである。
【背景技術】
【０００２】
複数の機器より形成されるネットワークシステムとしては、無線ネットワークで接続された複数のオーディオ機器よりなるＡＶシステムが知られている（たとえば、特許文献１）。
また、機器の利用環境の自動設定の技術としては、機器の複数のユーザの個人識別情報に各々対応づけて、ユーザが当該機器を利用する場合の当該機器の設定を、当該機器に予め格納しておくと共に、当該機器において、ユーザが携帯する携帯電話機やキー機器より当該ユーザの個人識別情報の入力を受け付けて、受け付けた個人識別情報に対応する設定を自身に対して行う技術が知られている（たとえば、特許文献２並びに特許文献３）。
【特許文献１】特開２００１−３５９２００号公報
【特許文献２】特開平１０−１６６９５６号公報
【特許文献３】特開２００２−３４０５７２号公報
【発明の開示】
【発明が解決しようとする課題】
【０００３】
さて、たとえば、車載のＡＶシステムを、無線ネットワークを用いて複数のＡＶ機器を接続することにより構築する場合において、モバイル機器である携帯型プレイヤを、ＡＶシステムに一時的に組み込み利用する場合を考える。
このような場合、携帯型プレイヤで再生した音楽を、ＡＶシステムに固定的に組み込まれているイコライザやアンプ機器で処理して出力する場合の、携帯型プレイヤの設定は、ユーザの嗜好やＡＶシステムに組み込まれている他の機器の機能などに応じて、携帯型プレイヤを単独で使用する場合の設定とは異なったものとなる場合がある。
【０００４】
たとえば、携帯型プレイヤの単独使用時に、携帯型プレイヤ内蔵のイコライザを用いてヘッドホンでの視聴に適した周波数特性による音楽の出力を行っている場合において、携帯型プレイヤをＡＶシステムに組み込んで、携帯型プレイヤで再生した音楽を、ＡＶシステムに固定的に組み込まれているイコライザやアンプ機器で処理して出力する場合には、携帯型プレイヤのイコライザの動作をオフにし、代わりに、ＡＶシステムに固定的に組み込まれているイコライザで車内空間に応じたイコライズ処理を施すようにする場合がある。
【０００５】
また、一方で、このような場合には、ＡＶシステムに固定的に組み込まれているイコライザやアンプ機器に対しても、ＡＶシステムに組み込まれる携帯型プレイヤの設定や特性に対応した設定が、ユーザによって行われることになる。
そして、このようなＡＶシステムに携帯型プレイヤを組み込んだ際の、携帯型プレイヤやＡＶシステムのイコライザやアンプ機器の設定は、携帯型プレイヤがＡＶシステムから取り外されて単独で使用されている期間中に、それぞれ変更されることがある。すなわち、たとえば、携帯型プレイヤの設定は前述のような携帯型プレイヤの単独使用に適した設定に変更されることがあり、ＡＶシステムのイコライザやアンプ機器の設定も、他のオーディオ再生機器の再生音楽の処理に適した設定に変更されることがある。
【０００６】
そして、このような変更が行われた場合には、再度携帯型プレイヤをＡＶシステムに組み込んで利用する場合に、携帯型プレイヤの設定とＡＶシステムに固定的に組み込まれているイコライザの設定とを、前回携帯型プレイヤをＡＶシステムに組み込んだときの設定に戻す煩雑な作業をユーザが行う必要が生じる。
【０００７】
そこで、本発明は、モバイル機器が一時的に組み込まれるシステムにおいて、モバイル機器がシステムに組み込まれた際に、当該モバイル機器およびシステムに組み込まれている他の機器の設定を、前回モバイル機器がシステムに組み込まれていたときの設定に自動的に回復することを課題とする。
【課題を解決するための手段】
【０００８】
前記課題達成のために、本発明は、１以上の機器が接続され、かつ、モバイル機器が選択的に接続されるネットワークシステムにおいて、少なくとも一つの前記機器に、前記ネットワークシステムに接続していたモバイル機器がネットワークシステムから離脱したときに、当該時点における自己の設定状態を、当該モバイル機器の識別情報に対応づけて記憶するモバイル機器別設定状態記憶手段と、前記ネットワークシステムにモバイル機器が接続したときに、接続したモバイル機器の識別情報に対応づけて前記モバイル機器別設定状態記憶手段に記憶されている設定状態に、自己の設定状態を回復するモバイル機器別設定回復手段とを備え、前記モバイル機器に、ネットワークシステムから離脱したときに、当該時点における自己の設定状態を、当該離脱したネットワークシステムの識別情報に対応づけて記憶するネットワーク別設定状態記憶手段と、前記ネットワークシステムに接続したときに、接続したネットワークシステムの識別情報に対応づけて前記ネットワーク別設定状態記憶手段に記憶されている設定状態に、自己の設定状態を回復するネットワーク別設定回復手段とを備えたものである。
【０００９】
このようなネットワークシステムによれば、過去にネットワークシステムに接続されたモバイル機器が、再度ネットワークシステムに接続された場合には、モバイル機器の設定やネットワークシステム上の機器の設定が、前回モバイル機器がネットワークシステムに接続されていたときの状態に自動的に復帰する。したがって、ユーザは、モバイル機器をネットワークシステムに組み込んで利用する際に、毎回、モバイル機器の利用環境を設定するといった煩雑な作業を行う必要がない。
【００１０】
また、前記課題達成のために本発明は、複数の機器が接続され、かつ、モバイル機器が選択的に接続されるネットワークシステムにおいて、前記複数の機器の内の一つの前記機器に、前記ネットワークシステムに接続していたモバイル機器がネットワークシステムから離脱したときに、当該時点における前記複数の機器の各々の設定状態を収集し、当該モバイル機器の識別情報に対応づけて記憶するモバイル機器別設定状態記憶手段と、前記ネットワークシステムにモバイル機器が接続したときに、接続したモバイル機器の識別情報に対応づけて前記モバイル機器別設定状態記憶手段に記憶されている設定状態に、前記複数の機器の各々の設定状態を回復するモバイル機器別設定回復手段とを備え、前記モバイル機器に、ネットワークシステムから離脱したときに、当該時点における自己の設定状態を、当該離脱したネットワークシステムの識別情報に対応づけて記憶するネットワーク別設定状態記憶手段と、前記ネットワークシステムに接続したときに、接続したネットワークシステムの識別情報に対応づけて前記ネットワーク別設定状態記憶手段に記憶されている設定状態に、自己の設定状態を回復するネットワーク別設定回復手段とを備えたものである。
【００１１】
このようなネットワークシステムによれば、ネットワークシステムに複数の機器が接続されている場合において、過去にネットワークシステムに接続されたモバイル機器が、再度ネットワークシステムに接続された場合に、モバイル機器の設定やネットワークシステム上にある、モバイル機器に関連した処理を行う機器全ての設定を、前回モバイル機器がネットワークシステムに接続されていたときの状態に自動的に復帰することができるようになる。
【００１２】
なお、以上の各ネットワークシステムにおいて、前記モバイル装置は無線通信を介して前記ネットワークシステムに接続されるものであってよい。また、記ネットワークシステムは自動車に搭載されたネットワークシステムであってよく、前記複数の機器は、オーディオまたはビデオの少なくとも一方を扱うＡＶ機器であってよい。
【００１３】
なお、以上のようなネットワークシステムにおいて、前記モバイル機器と前記一つの機器とは直接１対１で接続するようにしてもよい。
【発明の効果】
【００１４】
以上のように本発明によれば、モバイル機器が一時的に組み込まれるシステムにおいて、モバイル機器がシステムに組み込まれた際に、当該モバイル機器およびシステムに組み込まれている他の機器の設定を、前回モバイル機器がシステムに組み込まれていたときの設定に自動的に回復することすることができる。
【発明を実施するための最良の形態】
【００１５】
以下、本発明の実施形態について車載のＡＶシステムへの適用を例にとり説明する。
図１ａに、本実施形態に係るＡＶシステムの構成を示す。
図示するように、ＡＶシステムは、無線アクセスポイント１と、固定的に車内に設置され、無線アクセスポイント１が提供する無線ＬＡＮに無線通信を介して接続するヘッドユニット２と、固定的に車内に設置され、無線アクセスポイント１が提供する無線ＬＡＮに無線通信を介して接続する固定ＡＶ機器３と、ユーザによって携帯され、ユーザの自動車搭乗時に一時的に無線アクセスポイント１が提供する無線ＬＡＮに無線通信を介して接続するモバイル機器４とを備える。
【００１６】
ここで、無線アクセスポイント１は、無線伝送路を伝送路として用いたネットワークを提供する機器であり、ヘッドユニット２、固定ＡＶ機器３、モバイル機器４などの無線ネットワークに収容した各機器間のデータの中継を行う。なお、このような無線ＬＡＮに用いることのできるプロトコルとしては、IEEE 802.11シリーズや、Bluetooth（登録商標）などが知られている。
【００１７】
また、固定ＡＶ機器３は、たとえば、図１ｂに示すように車内に配置された、音声出力のためのスピーカ１０１を備えたアンプ機器１０２や、複数のＣＤ−ＤＡを収容し収容したＣＤ−ＤＡを選択的に再生するＣＤチェンジャ１０３などである。また、また、モバイル機器４は、たとえば、携帯型プレイヤやＰＤＡや携帯電話機器などである。そして、ヘッドユニット２は、ユーザインタフェースの提供や、無線ネットワークに収容された各固定ＡＶ機器３やモバイル機器４の制御や、イコライズ処理やプリアンプ処理などのオーディオ信号に対する基本的なオーディオ処理を行う機器である。
【００１８】
さて、図２は、ＡＶシステムの論理的な接続構造を示すものである。図示するように、無線ネットワークに収容されたヘッドユニット２と各固定ＡＶ機器３とモバイル機器４とは、相互の無線ネットワーク１１を介して通信を行うことができる。
そして図示するように、ヘッドユニット２は、無線ネットワーク１１に無線通信を介して接続するための無線インタフェース２１、無線ネットワーク１１に収容された各固定ＡＶ機器３やモバイル機器４の制御を行うシステム制御部２２、イコライズ処理やプリアンプ処理などのオーディオ信号に対する基本的な処理を行うＡＶ機能部２３、機器対応設定制御部２４、機器別設定テーブル２５とを有している。また、固定ＡＶ機器３は、無線ネットワーク１１に無線通信を介して接続するための無線インタフェース３１、オーディオ信号の処理を行うＡＶ機能部３２とを有している。ここで、固定ＡＶ機器３のＡＶ機能部３２の行うオーディオ信号の処理は固定ＡＶ機器３の種別に応じて異なり、固定ＡＶ機器３がアンプ機器１０２であれば、ＡＶ機能部３２の行うオーディオ信号の処理は無線ネットワーク１１を介して受信したオーディオ信号の増幅とスピーカ１０１への出力であり、固定ＡＶ機器３がＣＤチェンジャ１０３であれば、ＡＶ機能部３２の行うオーディオ信号の処理は、ＣＤ−ＤＡの選択と再生である。
【００１９】
次に、モバイル機器４は、無線ネットワーク１１に無線通信を介して接続するための無線インタフェース４１、モバイル機器本来の機能を果たす機能部である主機能部４２、ネットワーク対応設定制御部４３、ネットワーク別設定テーブル４４を有する。ここで、前述したように、モバイル機器４は、携帯型プレイヤやＰＤＡや携帯電話機器などである。そして、図中４０１に示すように、モバイル機器４が携帯型プレイヤである場合には、主機能部４２は、オーディオデータを格納し、格納したオーディオデータを再生する機能部４２ａとなり、図中４０２に示すように、モバイル機器４がＰＤＡである場合には、主機能部４２は、格納したプログラムを実行して各種情報の処理を行う情報処理機能部４２ｂとなる。
【００２０】
このような構成において、ヘッドユニット２のＡＶ機能部２３、固定ＡＶ機器３のＡＶ機能部３２、無線ネットワーク１１に収容されたモバイル機器４の主機能部４２は、無線ネットワーク１１を介して相互に通信を行いながら、自身の設定と、ヘッドユニット２のシステム制御部２２の制御とに従ってＡＶシステムの一部として動作する。すなわち、ヘッドユニット２のシステム制御部２２の制御によって各部は、たとえば以下のような動作を行う。すなわち、ＣＤチェンジャ１０３である固定ＡＶ機器３のＡＶ機能部３２は、ヘッドユニット２のシステム制御部２２からの指示に従ってＣＤ−ＤＡを再生し、再生したオーディオデータを無線ネットワーク１１を介してヘッドユニット２に送信し、ヘッドユニット２のＡＶ機能部２３は、無線ネットワーク１１を介して受信したオーディオデータにイコライズ処理やプリアンプ処理を施して、アンプ機器１０２である固定ＡＶ機器３に送信し、アンプ機器１０２である固定ＡＶ機器３のＡＶ機能部３２は、無線ネットワーク１１を介して受信したオーディオデータをアナログオーディオ信号に変換し、ヘッドユニット２のシステム制御部２２からの指示に応じた増幅率で増幅しスピーカ１０１に出力する。
また、携帯型プレイヤであるモバイル機器４の主機能部４２は、ヘッドユニット２のシステム制御部２２からの指示に従って格納しているオーディオデータを再生し、再生したオーディオデータを無線ネットワーク１１を介してヘッドユニット２に送信し、ヘッドユニット２のＡＶ機能部２３は、無線ネットワーク１１を介して受信したオーディオデータにイコライズ処理やプリアンプ処理を施して、アンプ機器１０２である固定ＡＶ機器３に送信し、アンプ機器１０２である固定ＡＶ機器３のＡＶ機能部３２は、無線ネットワーク１１を介して受信したオーディオデータをアナログオーディオ信号に変換し、ヘッドユニット２のシステム制御部２２からの指示に応じた増幅率で増幅しスピーカ１０１に出力する。
また、ＰＤＡや携帯電話機であるモバイル機器４の主機能部４２は、ユーザ操作に応じたリモートコントロールデータを、無線ネットワーク１１を介してヘッドユニット２に送信し、ヘッドユニット２のシステム制御部２２は、無線ネットワーク１１を介して受信したリモートコントロールデータをユーザからの指示として処理し、ＡＶシステムの動作を制御する。
【００２１】
次に、図３ａに、ヘッドユニット２が保持する機器別設定テーブル２５の内容を示す。
図示するように、機器別設定テーブル２５は、ヘッドユニット２が収容されている無線ネットワーク１１に収容されたことのあるモバイル機器毎に対応して設けられた機器別設定レコードよりなる。そして、各機器別設定レコードには、対応するモバイル機器４を識別するための機器識別子と、対応するモバイル機器４が最後にネットワークに収容されていたときの、対応するモバイル機器４に関連するＡＶシステムの機能の設定状態が保持される。ここで対応するモバイル機器４に関連するＡＶシステムの機能の設定状態とは、ヘッドユニット２のシステム制御部２２やＡＶ機能部２３や各固定ＡＶ機器３のＡＶ機能部３２の機能のうちの、対応するモバイル機器４に関連する処理を行う機能についての設定の状態をいう。なお、モバイル機器４の機器識別子としては、IEEE 802.11に従った無線ネットワーク１１を用いる場合には、モバイル機器４のＭＡＣアドレスを用いるようにしてもよく、Bluetoothに従った無線ネットワーク１１を用いる場合には、モバイル機器４のBluetoothアドレスを用いるようにしてもよい。または、ＡＶシステム内において別途各モバイル機器４に割り当てた識別子を用いるようにしてもよい。
【００２２】
次に、図３ｂに、モバイル機器４のネットワーク別設定テーブル４４の内容を示す。
図示するようにネットワーク別設定テーブル４４は、モバイル機器４が収容されたことのある無線ネットワーク毎に対応して設けられたネットワーク別設定レコードよりなる。そして、各ネットワーク別設定レコードには、対応するネットワークの識別子であるネットワーク識別子と、対応するネットワークに最後に収容されていたときの主機能部４２の各機能の設定状態が保持される。なお、ネットワークの識別子としては、IEEE 802.11に従った無線ネットワーク１１を用いる場合には、無線ネットワーク１１が属するＥＳＳ（Extended Service Set）のＥＳＳ−ＩＤ（Extended Service Set Identifier）を用いるようにしてもよい。単一の無線アクセスポイント１を用いる場合には、無線アクセスポイント１の、IEEE 802.11に従った無線ネットワーク１１を用いる場合のＭＡＣアドレスや、Bluetoothに従った無線ネットワーク１１を用いる場合のBluetoothアドレスを用いるようにしてもよい。または、ヘッドユニット２の、IEEE 802.11に従った無線ネットワーク１１を用いる場合のＭＡＣアドレスや、Bluetoothに従った無線ネットワーク１１を用いる場合のBluetoothアドレスを用いるようにしてもよい。または、独自に設定したネットワークの識別子を用いるようにしてもかまわない。
【００２３】
さて、このようなＡＶシステムは、モバイル機器４が無線ネットワーク１１に組み込まれた際に、当該モバイル機器４およびネットワークシステムに組み込まれている他の機器の設定を、前回そのモバイル機器４がネットワークシステムに組み込まれていたときの設定状態に自動設定することにより、そのモバイル機器４の利用環境を回復する。
【００２４】
以下、このモバイル機器４の利用環境を回復動作について説明する。ここで、この回復動作は、主としてヘッドユニット２の機器対応設定制御部２４と、モバイル機器４のネットワーク対応設定制御部４３の処理によって実施される。
まず、ヘッドユニット２の機器対応設定制御部２４の動作について説明する。
図４に、機器対応機能制御部が行う機器対応機能制御処理の手順を示す。
図示するように、この処理では、無線ネットワーク１１に対する機器の接続の発生と（ステップ４０２）、既接続のモバイル機器４の無線ネットワーク１１からの切断の発生（ステップ４１２）を監視する。
そして、無線ネットワーク１１に対する機器の接続が発生したならば、無線ネットワーク１１に接続したモバイル機器４の機器識別子と、当該モバイル機器４の種別を取得する（ステップ４０４）。そして、取得した機器の種別より接続した機器がモバイル機器４であるかどうかを判定し（ステップ４０６）、モバイル機器４でなければステップ４０２と４１２の監視に戻る。
【００２５】
一方、接続した機器がモバイル機器４であれば、取得した機器識別子に対応する機器別設定レコードが存在するかどうかを調べ（ステップ４０８）、存在しない場合には、取得した機器識別子を記述した新たな機器別設定レコードを生成し、ステップ４０２と４１２の監視に戻る。一方、取得した機器識別子に対応する機器別設定レコードが存在する場合には、存在した機器別設定レコードに記述されている各機器の各機能の設定状態が回復されるように、各機器の機能の設定を行う（ステップ４１０）。すなわち、存在した機器別設定レコードにＡＶ機能部２３やシステム制御部２２の機能の設定状態が記述されていれば、その設定状態となるようにＡＶ機能部２３やシステム制御部２２に対する機能の設定を行う。また、存在した機器別設定レコードに固定ＡＶ機器３のＡＶ機能部３２の機能の設定状態が記述されていれば、その設定状態となるように、システム制御部２２を介して固定ＡＶ機器３のＡＶ機能部３２に対する機能の設定を行う。より具体的には、たとえば、携帯型プレイヤであるモバイル機器４の機器識別子に対応する機器別設定レコードに、ＡＶ機能部２３のイコライズ機能についての設定状態として特定の周波数特性が記述されていれば、ＡＶ機能部２３に対して、イコライズ機能においてその周波数特性を実現するイコライズ処理を行うよう設定する。また、携帯型プレイヤであるモバイル機器４の機器識別子に対応する機器別設定レコードに、アンプ機器１０２である固定ＡＶ機器３の増幅機能についての設定状態として特定のボリューム値が記述されていれば、システム制御部２２を介して、アンプ機器１０２のＡＶ機能部３２を、当該ボリューム値で示される増幅率でオーディオ信号を増幅してスピーカ１０１に出力するよう設定する。また、ＰＤＡであるモバイル機器４の機器識別子に対応する機器別設定レコードに、システム制御部２２の外部リモートコントロール機能についての設定状態としてオンが記述されていれば、システム制御部２２に対して、外部リモートコントロール機能を起動または有効とするように設定する。
【００２６】
そして、ステップ４１０の各機器の機能設定が終了したならば、ステップ４０２、４１２の監視に戻る。
次に、ステップ４１２において、モバイル機器４の無線ネットワーク１１からの切断の発生が検出された場合には、そのモバイル機器４に関連する各機器の機能の設定状態を収集する。そして、切断したモバイル機器４の機器識別子を持つ機器別設定レコードの各機器の機能の設定状態の記述を、収集した各機器の機能の設定状態に更新する（ステップ４１４）。切断したモバイル機器４の機器識別子を持つ機器別設定レコードに、各機器の機能の設定状態の記述がまだなされていない場合には、単に、収集した各機器の機能の設定状態を切断したモバイル機器４の機器識別子を持つ機器別設定レコードに記述する。
なお、ここで、いずれの機器のいずれの機能を、設定状態を収集するモバイル機器４に関連する機器の機能とするかは、予め収集の対象とする機器とその機能を予めモバイル機器４の種別に対応づけて機器対応設定制御部２４に登録しておき、機器対応設定制御部２４において切断したモバイル機器４の種別に対応して登録されている機器の機能を、設定状態を収集する機器の機能とすることにより決定するようにしてもよい。または、切断するモバイル機器４が無線ネットワーク１１に収容されている期間中に、当該モバイル機器４が送受信したデータの処理を行った機器の機能の履歴を各機器などにおいて保持するようにし、切断までに収集された各機器の各機能を、モバイル機器４に関連する機器の機能として、その設定状態を収集するようにしてもよい。
【００２７】
そして、このようにして機器別設定レコードの更新が完了したならばステップ４０２、４１２の監視に戻る。
以上、ヘッドユニット２の機器対応設定制御部２４が行う機器対応機能設定処理について説明した。
次に、モバイル機器４のネットワーク対応設定制御部４３の動作について説明する。
図５に、ネットワーク対応設定制御部４３が行うネットワーク対応設定処理の手順を示す。
図示するようにネットワーク対応設定処理では、無線ネットワーク１１への接続の発生と（ステップ５０２）、無線ネットワーク１１からの切断の発生と（ステップ５１０）とを監視する。
そして、無線ネットワーク１１への接続が発生したならば、接続した無線ネットワーク１１から、前述したネットワーク識別子を取得する（ステップ５０４）。そして、取得したネットワーク識別子に対応するネットワーク別設定レコードが存在するかどうかを調べ（ステップ５０６）、存在しない場合には、取得したネットワーク識別子を記述した新たなネットワーク別設定レコードを生成し（ステップ５１４）、ステップ５０２と５１０の監視に戻る。
【００２８】
一方、取得したネットワーク識別子に対応するネットワーク別設定レコードに存在する場合には、存在したネットワーク別設定レコードに記述されている主機能部４２の各機能の設定状態が回復されるように、主機能部４２の機能の設定を行う（ステップ５０８）。
より具体的には、たとえば、モバイル機器４が携帯型プレイヤであり、接続されたネットワーク識別子に対応するネットワーク別設定レコードに主機能部４２のイコライズ機能のオフが記述されていれば、主機能部４２に対して、イコライズ機能においてイコライズ処理を行わないよう設定する。また、モバイル機器４がＰＤＡであり、接続されたネットワーク識別子に対応するネットワーク別設定レコードに主機能部４２のリモートコントローラ機能のオンが記述されていれば、主機能部４２の、リモートコントローラ機能を起動する。
【００２９】
そして、主機能部４２の機能の設定が終了したならば、ステップ５０２と５１０の監視に戻る。
一方、ステップ５０１において無線ネットワーク１１からの切断が検出された場合には、その時点の主機能部４２の機能の設定状態を収集し、切断したネットワークのネットワーク識別子を持つネットワーク別設定レコードの主機能部４２の各機能の設定状態の記述を、収集した設定状態に更新する（ステップ５１２）。そして、ステップ５０２、５１０の監視に戻る。
【００３０】
以上、モバイル機器４のネットワーク対応設定制御部４３が行うネットワーク対応設定処理について説明した。
以上のように、本実施形態によれば、無線ネットワーク１１にモバイル機器４が再接続された場合には、モバイル機器４の設定や無線ネットワーク１１上の各機器の接続されたモバイル機器４に関連する設定が、前回モバイル機器が無線ネットワーク１１に接続されていたときの状態に自動的に復帰する。したがって、ユーザは、モバイル機器４を無線ネットワーク１１に組み込んで利用する際に、毎回、モバイル機器４の利用環境を設定するといった煩雑な作業を行う必要がない。
【００３１】
なお、以上の実施形態では、無線ネットワーク１１を用いてモバイル機器４やヘッドユニット２や固定ＡＶ機器３を接続したが、これらの接続は有線または有線ネットワークによって行うようにしてもよい。
また、ヘッドユニット２のみを無線ネットワーク１１に接続し、他の固定ＡＶ機器３は別途有線接続などによりヘッドユニット２に接続するようにしてもかまわない。
また、以上の実施形態では、ヘッドユニット２が、無線ネットワーク１１に接続したモバイル機器４に応じた設定を各固定ＡＶ機器３に対して行うようにしたが、これはヘッドユニット２において固定ＡＶ機器３の設定は行わず、無線ネットワーク１１に接続した各固定ＡＶ機器３においてヘッドユニット２と同様に、接続したモバイル機器４に応じた設定を自身に対して行うようにしてもかまわない。
【００３２】
また、以上では、複数のオーディオ機器を備えたオーディオシステムを例にとり、車載のＡＶシステムへの適用を説明したが、本実施形態は、ビデオを扱うビデオ機器やオーディオ機器などの任意のＡＶ機器が複数または単数含まれるＡＶシステムについて同様に適用可能である。
【００３３】
また、本実施形態は複数または単一の任意種別の機器よりなる任意のシステムに、モバイル機器４を一時的に接続する場合における、接続時のモバイル機器４の利用環境の回復に同様に適用可能である。
【図面の簡単な説明】
【００３４】
【図１】本発明の実施形態に係るＡＶシステムの構成を示すブロック図である。
【図２】本発明の実施形態に係るＡＶシステムの構成機器の構成を示すブロック図である。
【図３】本発明の実施形態に係るＡＶシステムが備えるテーブルを示すある。
【図４】本発明の実施形態に係る機器対応機能設定処理の手順を示すフローチャートである。
【図５】本発明の実施形態に係るネットワーク対応機能設定処理の手順を示すフローチャートである。
【符号の説明】
【００３５】
１…無線アクセスポイント、２…ヘッドユニット、３…固定ＡＶ機器、４…モバイル機器、１１…無線ネットワーク、２１…無線インタフェース、２２…システム制御部、２３…ＡＶ機能部、２４…機器対応設定制御部、２５…機器別設定テーブル、３１…無線インタフェース、３２…ＡＶ機能部、４１…無線インタフェース、４２…主機能部、４３…ネットワーク対応設定制御部、４４…ネットワーク別設定テーブル、１０１…スピーカ、１０２…アンプ機器、１０３…ＣＤチェンジャ。
【図１】
2005198066.tif 000003
【図２】
2005198066.tif 000004
【図３】
2005198066.tif 000005
【図４】
2005198066.tif 000006
【図５】
2005198066.tif 000007